(57)【要約】【課題】無線通信において、受信信号の再生品質に劣化が生じず、ダイナミックレンジが広い受信回路および無線機を提供する。【解決手段】受信回路１は、方向性結合器１１と、アンテナ２を介して受信したアナログ信号を複数に分配する方向性結合器１１と、方向性結合器１１に分配されたアナログ信号を、異なる増幅率で並列に受信処理してデジタル信号を出力する経路Ｒ１の回路および経路Ｒ２の回路と、経路Ｒ１の回路および経路Ｒ２の回路からそれぞれ入力されたデジタル信号ＤＳ１およびデジタル信号ＤＳ２のうち、決められた条件を満たすデジタル信号ＤＳ１またはデジタル信号ＤＳ２を選択し、出力する制御器１８と、を備える。制御器１８は、デジタル信号ＤＳ１およびデジタル信号ＤＳ２の電圧の実効値と、基準値との差分をそれぞれ算出し、算出した差分の絶対値が小さい方のデジタル信号ＤＳ１またはデジタル信号ＤＳ２を選択する。【選択図】図１
2020191609.tif 000002
【特許請求の範囲】
【請求項１】
入力されたアナログ信号を複数に分配する方向性結合器と、
前記方向性結合器によって分配されたアナログ信号を、異なる増幅率で並列に受信処理してデジタル信号を出力する複数の受信処理回路と、
前記受信処理回路から入力されたデジタル信号のうち、決められた基準を満たすデジタル信号を選択し、選択したデジタル信号を出力する制御器と、
を備える受信回路。
【請求項２】
前記制御器は、
前記受信処理回路から入力されたデジタル信号の電圧の実効値と、基準値との差分を算出し、算出した差分の絶対値が最も小さいデジタル信号を選択する、
請求項１に記載の受信回路。
【請求項３】
前記制御器は、
前記受信処理回路から入力されたデジタル信号の電圧の実効値に合わせて前記基準値を変更する、
請求項２に記載の受信回路。
【請求項４】
前記制御器は、
前記受信処理回路から入力されたデジタル信号に含まれる干渉信号を除去する分離処理を行う、
請求項１から３のいずれか１項に記載の受信回路。
【請求項５】
前記受信処理回路は、
前記方向性結合器によって分配されたアナログ信号の電力レベルが予め決められた範囲を超える場合にオーバーフロー信号を前記制御器に出力し、
前記制御器は、
前記オーバーフロー信号を出力していない前記受信処理回路から入力されたデジタル信号のうち、電圧値が最も大きいデジタル信号を選択する、
請求項１から４のいずれか１項に記載の受信回路。
【請求項６】
複数の前記受信処理回路は、
前記方向性結合器によって分配されたアナログ信号を増幅する可変増幅器を有する第１受信処理回路と、前記方向性結合器によって分配されたアナログ信号を減衰する可変減衰器を有する第２受信処理回路と、を含み、
前記制御器は、
前記第１受信処理回路から入力されたデジタル信号の電圧の実効値に合わせて前記可変増幅器の利得を変更し、前記第２受信処理回路から入力されたデジタル信号の電圧の実効値に合わせて前記可変減衰器の減衰量を変更する、
請求項１から５のいずれか１項に記載の受信回路。
【請求項７】
請求項１から６のいずれか１項に記載の受信回路と、
アナログ信号を受信し、前記受信回路に入力するアンテナと、
前記受信回路が出力したデジタル信号をアナログ信号に変換するＤ−Ａ変換器と、
前記Ｄ−Ａ変換器が変換したアナログ信号を増幅する増幅器と、
前記増幅器が増幅したアナログ信号を出力する出力装置と、
を備える無線機。
【発明の詳細な説明】
【技術分野】
【０００１】
本発明は、受信回路および無線機に関する。
【背景技術】
【０００２】
無線通信では、通信相手との距離に応じて受信電力が大きく変動する。このため、無線機の受信回路は、広いダイナミックレンジで受信することが求められている。そこで、無線機の受信回路で、増幅器の電力利得および減衰器の減衰量のいずれかまたは両方を変化させて、受信信号の電力レベルを調整することが行われている。
【０００３】
特許文献１には、受信信号を２分割した信号を、減衰器がある経路と減衰器がない経路とに入力し、受信信号の電力レベルに合わせて経路を切り替えることで、ダイナミックレンジを広くする受信回路が開示されている。
【先行技術文献】
【特許文献】
【０００４】
【特許文献１】特開昭６３−１８７８２１号公報
【発明の概要】
【発明が解決しようとする課題】
【０００５】
増幅器の電力利得および減衰器の減衰量のいずれかまたは両方を変換させて、電力レベルを調整する受信回路では、受信信号の電力レベルを調整している間は、適切な電力レベルの信号を出力できない。また、特許文献１に記載の受信回路では、受信信号の電力レベルを検出し、検出した電力レベルに合わせて受信信号を処理する経路を切り替え、切り替えた経路の受信機が受信信号を処理するまでの間は適切な電力レベルの信号を出力できない。したがって、これらの受信回路を用いた場合、受信信号の再生品質に劣化が生じる。
【０００６】
本発明は、上述のような事情に鑑みてなされたもので、無線通信において、受信信号の再生品質に劣化が生じず、ダイナミックレンジが広い受信回路および無線機を提供することを目的とする。
【課題を解決するための手段】
【０００７】
上記目的を達成するため、本発明に係る受信回路は、方向性結合器と、複数の受信処理回路と、制御器とを備える。方向性結合器は、入力されたアナログ信号を複数に分配する。複数の受信処理回路は、方向性結合器によって分配されたアナログ信号を、異なる増幅率で並列に受信処理してデジタル信号を出力する。制御器は、受信処理回路から入力されたデジタル信号のうち、決められた基準を満たすデジタル信号を選択し、選択したデジタル信号を出力する。
【発明の効果】
【０００８】
この発明によれば、無線通信において、入力されたアナログ信号を分配して異なる増幅率で並列に受信処理したデジタル信号のうち、決められた基準を満たすデジタル信号を選択して出力することで、受信信号の再生品質に劣化が生じず、ダイナミックレンジが広い受信回路および無線機を提供することができる。
【図面の簡単な説明】
【０００９】
【図１】本発明の実施の形態１に係る無線機の構成例を示すブロック図
【図２】実施の形態１に係る無線機が実行する選択処理を示すフローチャート
【図３】本発明の実施の形態２に係る無線機の構成例を示すブロック図
【図４】実施の形態２に係る無線機が実行する選択処理を示すフローチャート
【発明を実施するための形態】
【００１０】
以下に、本発明を実施するための形態に係る無線機について図面を参照して詳細に説明する。なお、図中同一または相当する部分には同じ符号を付す。
【００１１】
（実施の形態１）
図１は、本発明の実施の形態１に係る無線機１００の構成例を示すブロック図である。無線機１００は、図示しない同調回路と協働してアナログ信号を受信するアンテナ２、アンテナ２を介して受信したアナログ信号を受信処理してデジタル信号を出力する受信回路１、受信回路１が出力したデジタル信号を復調する復調器３、復調器３が復調したデジタル信号をアナログ信号に変換するＤ−Ａ変換器４、Ｄ−Ａ変換器４が変換したアナログ信号を増幅する増幅器５、および、増幅器５が増幅したアナログ信号を出力するスピーカ６を備える。スピーカ６は、出力装置の例である。
【００１２】
受信回路１は、アンテナ２を介して受信したアナログ信号を分配する方向性結合器１１、分配されたアナログ信号を増幅する増幅器１２、増幅されたアナログ信号を中間周波数に変換する周波数変換器１３、中間周波数に変換されたアナログ信号の電圧値をサンプリングしてデジタル信号ＤＳ１に変換するＡ−Ｄ変換器１４、分配されたアナログ信号を減衰する減衰器１５、減衰されたアナログ信号を中間周波数に変換する周波数変換器１６、および、中間周波数に変換されたアナログ信号の電圧値をサンプリングしてデジタル信号ＤＳ２に変換するＡ−Ｄ変換器１７、デジタル信号ＤＳ１またはデジタル信号ＤＳ２を選択して出力する制御器１８、および、デジタル信号を選択する基準となる基準値を記憶するメモリ１９、を備える。
【００１３】
方向性結合器１１は、アンテナ２で受信したアナログ信号を経路Ｒ１と経路Ｒ２とに分配する。ここで、経路Ｒ２に分配されたアナログ信号の電力レベルは、経路Ｒ１に分配されたアナログ信号の電力レベルに比べて方向性結合器１１の結合量に従って減衰している。経路Ｒ１に分配されたアナログ信号は、増幅器１２で増幅され、周波数変換器１３で中間周波数に変換される。増幅器１２は、例えば、低雑音増幅器である。中間周波数に変換されたアナログ信号は、Ａ−Ｄ変換器１４でデジタル信号ＤＳ１に変換され、制御器１８に入力される。
【００１４】
一方、経路Ｒ２に分配されたアナログ信号は、減衰器１５で減衰され、周波数変換器１６で中間周波数に変換される。中間周波数に変換されたアナログ信号は、Ａ−Ｄ変換器１７でデジタル信号ＤＳ２に変換され、制御器１８に入力される。方向性結合器１１、増幅器１２、周波数変換器１３、Ａ−Ｄ変換器１４、および、制御器１８を有する経路Ｒ１の回路と、方向性結合器１１、減衰器１５、周周波数変換器１６、Ａ−Ｄ変換器１７、および、制御器１８を有する経路Ｒ２の回路とは、同時に並列で上記の受信処理を行う。増幅器１２は１より大きい増幅率で増幅し、減衰器１５の１より小さい増幅率で減衰する。経路Ｒ１の回路と経路Ｒ２の回路とは、受信処理回路の例である。
【００１５】
メモリ１９は、制御器１８からの要求に応じて、デジタル信号ＤＳ１またはデジタル信号ＤＳ２を選択する基準となる基準値Ｒｔｈを制御器１８に渡す。基準値Ｒｔｈは、例えば、Ａ−Ｄ変換器１４およびＡ−Ｄ変換器１７から出力されるデジタル信号ＤＳ１およびデジタル信号ＤＳ２、または、復調器３から出力されるデジタル信号に歪みが生じない範囲の電圧の最大値の２／３〜１／２とする。
【００１６】
制御器１８は、メモリ１９から読み出した基準値Ｒｔｈに基づいて、一周期分のデジタル信号ＤＳ１およびデジタル信号ＤＳ２が入力されるごとに、いずれかを選択して復調器３に出力する。制御器１８は、例えば、ＤＳＰ（Digital Signal Processor）であって、動作クロックの速度で処理を実行する。具体的には、制御器１８は、一周期分のデジタル信号ＤＳ１およびデジタル信号ＤＳ２が示す電圧の実効値をそれぞれ算出する。制御器１８は、基準値Ｒｔｈとデジタル信号ＤＳ１の電圧の実効値との差分Ｄ１と、基準値Ｒｔｈとデジタル信号ＤＳ２の電圧の実効値との差分Ｄ２とを算出する。制御器１８は、差分Ｄ１の絶対値と差分Ｄ２の絶対値とを比較する。制御器１８は、差分Ｄ２の絶対値より差分Ｄ１の絶対値の方が小さい場合は、デジタル信号ＤＳ１を選択し、差分Ｄ１の絶対値より差分Ｄ２の絶対値の方が小さい場合は、デジタル信号ＤＳ２を選択する。
【００１７】
復調器３は、制御器１８から入力されたデジタル信号を復調し、Ｄ−Ａ変換器４に出力する。Ｄ−Ａ変換器４は、復調器３から入力されたデジタル信号をアナログ信号に変換し、増幅器５に出力する。増幅器５は、Ｄ−Ａ変換器４から入力されたアナログ信号を増幅し、スピーカ６に出力する。スピーカ６は、増幅器５から入力されたアナログ信号を出力する。
【００１８】
ここで、受信回路１の制御器１８が実行する選択処理の流れを、図２を用いて説明する。図２に示す選択処理は、無線機１００の電源が投入された時に開始する。制御器１８は、メモリ１９から基準値Ｒｔｈを読み出す（ステップＳ１１）。デジタル信号ＤＳ１およびデジタル信号ＤＳ２が入力されていない場合（ステップＳ１２；ＮＯ）、制御器１８は、ステップＳ１２を繰り返し、デジタル信号ＤＳ１およびデジタル信号ＤＳ２の入力を待機する。
【００１９】
デジタル信号ＤＳ１およびデジタル信号ＤＳ２が入力された場合（ステップＳ１２；ＹＥＳ）、一周期分のデジタル信号ＤＳ１およびデジタル信号ＤＳ２が入力されたか否かを判定する（ステップＳ１３）。一周期分のデジタル信号ＤＳ１およびデジタル信号ＤＳ２が入力されていない場合（ステップＳ１３；ＮＯ）、制御器１８は、ステップＳ１２およびステップ１３を繰り返し、一周期分のデジタル信号ＤＳ１およびデジタル信号ＤＳ２の入力を待機する。
【００２０】
一周期分のデジタル信号ＤＳ１およびデジタル信号ＤＳ２が入力されると（ステップＳ１３；ＹＥＳ）、制御器１８は、一周期分のデジタル信号ＤＳ１およびデジタル信号ＤＳ２が示す電圧の実効値をそれぞれ算出する（ステップＳ１４）。制御器１８は、デジタル信号ＤＳ１の電圧の実効値と基準値Ｒｔｈとの差分Ｄ１、および、デジタル信号ＤＳ２の電圧の実効値と基準値Ｒｔｈとの差分Ｄ２を算出する（ステップＳ１５）。制御器１８は、差分Ｄ１の絶対値の方が差分Ｄ２の絶対値より小さいか否かを判定する（ステップＳ１６）。
【００２１】
差分Ｄ１の絶対値の方が差分Ｄ２の絶対値より小さい場合（ステップＳ１６；ＹＥＳ）、制御器１８は、デジタル信号ＤＳ１を選択する（ステップＳ１７）。差分Ｄ１の絶対値の方が差分Ｄ２の絶対値以上である場合（ステップＳ１６；ＮＯ）、制御器１８は、デジタル信号ＤＳ２を選択する（ステップＳ１８）。制御器１８は、選択したデジタル信号ＤＳ１またはデジタル信号ＤＳ２を復調器３に出力する（ステップＳ１９）。無線機１００の電源がＯＦＦになっていなければ（ステップＳ２０；ＮＯ）、処理はステップＳ１２に戻り、ステップＳ１２〜ステップＳ２０を繰り返す。無線機１００の電源がＯＦＦになると（ステップＳ２０；ＹＥＳ）、処理は終了する。
【００２２】
Ａ−Ｄ変換器１４およびＡ−Ｄ変換器１７のサンプリング周波数および制御器１８のクロック周波数はそれぞれ、無線機１００の受信対象の信号の周波数よりも高い。例えば、無線機１００の受信対象の信号の周波数が数ｋＨｚ〜数ＭＨｚである場合、Ａ−Ｄ変換器１４およびＡ−Ｄ変換器１７のサンプリング周波数および制御器１８のクロック周波数は、数百ＭＨｚとする。この場合、一周期分のアナログ信号からＡ−Ｄ変換器１４がサンプリングした数十〜数千のデジタル信号ＤＳ１およびＡ−Ｄ変換器１７がサンプリングした数十〜数千のデジタル信号ＤＳ２について、制御器１８は、受信対象の信号の周期の数十〜数千分の一の速さで選択処理を実行することができるので、選択処理の処理時間は受信信号に影響を与えない。制御器１８は、受信対象の信号の一周期ごとに、出力するデジタル信号を切り替えることができる。
【００２３】
また、制御器１８は、経路Ｒ１の回路および経路Ｒ２の回路の２つの受信処理回路を切り替えるのではなく、経路Ｒ１の回路および経路Ｒ２の回路の２つの受信処理回路で同時に並列に受信処理されたデジタル信号を選択して出力するため、受信処理回路を切り替えるまでの間に適切でない電力レベルの信号が出力されるという問題が発生しない。このため、無線機１００の受信信号の再生品質に劣化が生じない。さらに、受信回路１が経路Ｒ１の回路および経路Ｒ２の回路を有することにより、方向性結合器１１の結合量、増幅器１２の利得、減衰器１５の減衰量の分ダイナミックレンジが広くなる。
【００２４】
なお、制御器１８は、デジタル信号ＤＳ１またはデジタル信号ＤＳ２を選択して出力する処理以外の処理を行ってもよい。例えば、制御器１８は、選択したデジタル信号ＤＳ１またはデジタル信号ＤＳ２を復調して、Ｄ−Ａ変換器４に出力してもよい。この場合、無線機１００は、復調器３を含まなくてもよい。
【００２５】
また、増幅器１２に利得を変更可能な可変増幅器を用いれば、制御器１８が、デジタル信号ＤＳ１の電圧の実効値に応じて増幅器１２の利得を変更することで、デジタル信号ＤＳ１の電力レベルを調整できる。減衰器１５に減衰量を変更可能な可変減衰器を用いれば、制御器１８が、デジタル信号ＤＳ２の電圧の実効値に応じて減衰器１５の減衰量を変更することで、デジタル信号ＤＳ２の電力レベルを調整できる。
【００２６】
例えば固定通信で、受信するアナログ信号の電力レベルが安定している場合は、基準値Ｒｔｈは固定値でもよい。一方、例えば移動体通信で、マルチパス、フェージングなどによって受信するアナログ信号の電力レベルが著しく変動する場合は、制御器１８が、デジタル信号ＤＳ１およびデジタル信号ＤＳ２の電圧の実効値に応じて、基準値Ｒｔｈを動的に変更してもよい。これにより、マルチパス、フェージングなどがある環境下でも安定して通信することが可能となる。
【００２７】
通信諸元によっては、ピーク電力が極端に大きいアナログ信号を受信することがある。このような場合、デジタル信号ＤＳ１およびデジタル信号ＤＳ２の電圧の実効値を誤検出する可能性がある。そこで、制御器１８は、デジタル信号ＤＳ１およびデジタル信号ＤＳ２の電圧の実効値に基づいて入力範囲を決定し、それ以降に入力されたデジタル信号ＤＳ１およびデジタル信号ＤＳ２について、クリッピング処理を行ってから、電圧の実効値を算出する構成にしてもよい。これにより、ピーク電力による誤検出を防ぐことが可能となる。
【００２８】
複数の通信ネットワークで構成されるシステム環境下では、受信対象の信号以外に他のシステムの通信信号が存在し、干渉信号として受信することがある。干渉信号の電力レベルが受信対象の信号の電力レベルに対して大きい場合、受信処理回路が１つしかなければ飽和して受信できなくなる可能性がある。受信回路１では経路Ｒ１の回路および経路Ｒ２の回路の２つの受信処理回路が同時に並列で受信処理を行うため、受信対象の信号の電力レベルよりも大きい電力レベルの干渉信号を受信して、経路Ｒ１の回路が飽和しても経路Ｒ２の回路で受信処理を行うことができる。このような場合、制御器１８は、デジタル信号ＤＳ２に含まれる受信対象の信号と干渉信号とを分離し、干渉信号の除去する分離処理を行う。具体的には、制御器１８は、目的周波数の受信対象の信号だけを透過するバンドパスフィルタを備え、干渉信号を除去する。
【００２９】
以上説明したように、実施の形態１によれば、無線通信において、アンテナ２を介して受信したアナログ信号を分配して異なる増幅率で並列に受信処理したデジタル信号ＤＳ１またはデジタル信号ＤＳ２を、基準値Ｒｔｈに基づいて選択して出力することで、受信信号の再生品質に劣化が生じず、ダイナミックレンジが広い受信回路１を提供することができる。
【００３０】
（実施の形態２）
実施の形態１では、制御器１８は、基準値Ｒｔｈに基づいてデジタル信号ＤＳ１またはデジタル信号ＤＳ２を選択していたが、実施の形態２では、制御器１８は、オーバーフロー信号が入力されたか否かでデジタル信号ＤＳ１またはデジタル信号ＤＳ２を選択する。
【００３１】
図３は、本発明の実施の形態２に係る無線機の構成例を示すブロック図である。実施の形態２の無線機１００は、実施の形態１と同様に、アンテナ２、受信回路１、復調器３、Ｄ−Ａ変換器４、増幅器５、および、スピーカ６を備える。実施の形態２では、受信回路１は、メモリ１９を備えない。受信回路１のＡ−Ｄ変換器１４は、周波数変換器１３で中間周波数に変換されたアナログ信号の電力レベルが予め決められた範囲を超える場合は、オーバーフロー信号ＯＦを制御器１８に出力する。制御器１８は、オーバーフロー信号ＯＦが入力された場合、デジタル信号ＤＳ２を選択する。制御器１８は、オーバーフロー信号ＯＦが入力されなかった場合、デジタル信号ＤＳ１を選択する。その他の受信回路１の機能は、実施の形態１と同様である。
【００３２】
ここで、受信回路１の制御器１８が実行する選択処理の流れを、図４を用いて説明する。図４に示す選択処理は、無線機１００の電源が投入された時に開始する。制御器１８は、デジタル信号ＤＳ１およびデジタル信号ＤＳ２が入力されていない場合（ステップＳ２１；ＮＯ）、制御器１８は、ステップＳ２１を繰り返し、デジタル信号ＤＳ１およびデジタル信号ＤＳ２の入力を待機する。
【００３３】
デジタル信号ＤＳ１およびデジタル信号ＤＳ２が入力された場合（ステップＳ２１；ＹＥＳ）、制御器１８は、オーバーフロー信号ＯＦが入力されたか否かを判定する（ステップＳ２２）。オーバーフロー信号ＯＦが入力されない場合（ステップＳ２２；ＮＯ）、制御器１８は、一周期分のデジタル信号ＤＳ１およびデジタル信号ＤＳ２が入力されたか否かを判定する（ステップＳ２３）。一周期分のデジタル信号ＤＳ１およびデジタル信号ＤＳ２が入力されていない場合（ステップＳ２３；ＮＯ）、制御器１８は、ステップＳ２２およびステップ２３を繰り返し、一周期分のデジタル信号ＤＳ１およびデジタル信号ＤＳ２の入力を待機する。オーバーフロー信号ＯＦが入力されず（ステップＳ２２；ＮＯ）、一周期分のデジタル信号ＤＳ１およびデジタル信号ＤＳ２が入力されると（ステップＳ２３；ＹＥＳ）、制御器１８は、デジタル信号ＤＳ１を選択する（ステップＳ２４）。
【００３４】
オーバーフロー信号ＯＦが入力されると（ステップＳ２２；ＹＥＳ）、制御器１８は、一周期分のデジタル信号ＤＳ１およびデジタル信号ＤＳ２が入力されたか否かを判定する（ステップＳ２５）。一周期分のデジタル信号ＤＳ１およびデジタル信号ＤＳ２が入力されていない場合（ステップＳ２５；ＮＯ）、制御器１８は、ステップＳ２５を繰り返し、一周期分のデジタル信号ＤＳ１およびデジタル信号ＤＳ２の入力を待機する。一周期分のデジタル信号ＤＳ１およびデジタル信号ＤＳ２が入力されると（ステップＳ２５；ＹＥＳ）、制御器１８は、デジタル信号ＤＳ２を選択する（ステップＳ２６）。
【００３５】
制御器１８は、選択したデジタル信号ＤＳ１またはデジタル信号ＤＳ２を復調器３に出力する（ステップＳ２７）。無線機１００の電源がＯＦＦになっていなければ（ステップＳ２８；ＮＯ）、処理はステップＳ２１に戻り、ステップＳ２１〜ステップＳ２８を繰り返す。無線機１００の電源がＯＦＦになると（ステップＳ２８；ＹＥＳ）、処理は終了する。
【００３６】
以上説明したように、実施の形態２によれば、無線通信において、入力されたアナログ信号を分配して異なる増幅率で並列に受信処理したデジタル信号ＤＳ１またはデジタル信号ＤＳ２を、オーバーフロー信号ＯＦが入力されたか否かに基づいて選択して出力することで、ダイナミックレンジが広い受信回路１を提供することができる。また、制御器１８においてデジタル信号ＤＳ１およびデジタル信号ＤＳ２の示す電圧の実効値を算出する処理、および、基準値との差分を算出してその絶対値を比較する処理が不要になるため、制御器１８の処理負荷を低減することができ、さらに高速で選択処理を行うことができる。これにより、より高周波数の信号を受信対象にすることができる。
【００３７】
上記の実施の形態では、受信回路１は、経路Ｒ１の回路および経路Ｒ２の回路の２つの受信処理回路を備えたが、これに限らない。受信回路１が備える受信処理回路は、３つ以上であってもよい。この場合、実施の形態１では、制御器１８は、３つ以上の受信処理回路が出力したデジタル信号のうち、デジタル信号の電圧の実効値と基準値との差分が最も小さいデジタル信号を選択する。つまり、実施の形態１において、決められた基準は、基準値とデジタル信号の電圧の実効値との差分の絶対値が最も小さいことである。実施の形態２では、制御器１８は、オーバーフロー信号を出力してない受信処理回路が出力したデジタル信号を選択する。オーバーフロー信号を出力してない受信処理回路が２つ以上ある場合には、デジタル信号の電圧の実効値が最も大きいデジタル信号を選択する。つまり、実施の形態２において、決められた基準は、オーバーフローしておらず、デジタル信号の電圧の実効値が最も大きいことである。
【符号の説明】
【００３８】
１  受信回路、２  アンテナ、３  復調器、４  Ｄ−Ａ変換器、５  増幅器、６  スピーカ、１１  方向性結合器、１２  増幅器、１３  周波数変換器、１４  Ａ−Ｄ変換器、１５  減衰器、１６  周波数変換器、１７  Ａ−Ｄ変換器、１８  制御器、１９  メモリ、１００  無線機。
【図１】
2020191609.tif 000003
【図２】
2020191609.tif 000004
【図３】
2020191609.tif 000005
【図４】
2020191609.tif 000006